(57)【特許請求の範囲】
【請求項１】
被検体に照射するためのＸ線を発生するＸ線発生部と、このＸ線発生部のＸ線が照射される側に配置され前記Ｘ線を減弱する複数枚のＸ線補償フィルタと、前記被検体を挟み前記Ｘ線発生部と対向配置され前記被検体を透過した前記Ｘ線を検出するＸ線検出器と、このＸ線検出器より検出された透過Ｘ線をＸ線画像として出力する撮影手段と、この撮影手段から出力された前記Ｘ線画像を表示する画像表示手段と、前記撮影手段のＸ線画像を入力して記憶するＸ線画像記憶手段と、このＸ線画像記憶手段に記憶したＸ線画像を読み出し所定のしきい値以上の画素領域に前記Ｘ線補償フィルタを挿入するための挿入領域を算出する挿入領域算出手段と、前記挿入領域算出手段によって算出された挿入領域へ前記複数のＸ線補償フィルタを挿入するフィルタ制御手段とを備えたＸ線画像診断装置において、
前記挿入領域を囲む矩形領域のあるラインに存在する前記挿入領域以外の部分を検出し、前記挿入領域以外の部分の座標に基づいて挿入領域分割線を決定し、前記挿入領域分割線によって前記挿入領域を分割する分割手段を備え、前記フィルタ制御手段は前記分割手段によって分割された挿入領域をそれぞれ独立した挿入領域とみなし、前記Ｘ線補償フィルタのうちの異なる２枚以上のＸ線補償フィルタを挿入するように制御することを特徴とするＸ線画像診断装置。
【発明の詳細な説明】
【０００１】
【発明が属する技術分野】
本発明は、透視画像を用いてＸ線補償フィルタを自動制御するＸ線補償フィルタ自動制御機構を有するＸ線画像診断装置に係り、特にＸ線補償フィルタの挿入領域にＸ線補償フィルタを適切に挿入するための技術に関する。
【０００２】
【従来の技術】
従来のＸ線画像診断装置は、特開平８−１０３４３６号公報に開示されている構成を有している。
【０００３】
上記構成のうち、Ｘ線補償フィルタ自動制御部は、上記構成のテレビカメラと接続され、前記テレビカメラより出力される透視画像を記憶する透視画像記憶手段と、この透視画像記憶手段と接続され前記透視画像を読み出して予め設定されているしきい値以上の画素領域を上記構成のＸ線補償フィルタの挿入位置として算出する挿入位置算出手段と、前記Ｘ線補償フィルタと前記挿入位置算出手段とそれぞれ接続され前記Ｘ線補償フィルタを前記挿入位置へ挿入するフィルタ制御手段とを有している。このように、Ｘ線補償フィルタ自動制御部は、予め設定されているしきい値以上の領域を覆い隠すように前記Ｘ線補償フィルタを制御、挿入している。
【０００４】
また、ある透視画像に予め設定されたしきい値に基づき、既に前記Ｘ線補償フィルタが挿入されている場合、前記Ｘ線補償フィルタより送られてくるフィルタ位置情報より透視画像上での前記Ｘ線補償フィルタの挿入位置を算出し、前記Ｘ線補償フィルタが挿入されたことによるＸ線の減弱量を記憶しておいて、前記減弱量に基づき前記Ｘ線補償フィルタに覆われなかった透視画像に補正し、前記透視画像と別個の透視画像に予め設定されているしきい値以上の画素領域を覆い隠すように前記Ｘ線補償フィルタを挿入し、しきい値未満の画素領域には前記Ｘ線補償フィルタで覆わないように制御させている。
【０００５】
【発明が解決しようとする課題】
しかしながら、上記従来のＸ線補償フィルタ自動制御装置では、１つのＸ線補償フィルタの挿入領域に対して、１枚のＸ線補償フィルタのみを制御していたため、挿入領域の形状によってはＸ線補償フィルタの挿入領域以外の診断に必要な領域にＸ線補償フィルタが挿入されてしまい、診断に支障をきたすおそれがあるという問題があった。
【０００６】
例えば、図８に示すようなＸ線補償フィルタの挿入領域が存在する場合、挿入領域全てを覆い尽くすため、Ｘ線補償フィルタは図中Ｆで示されるラインまで挿入され、診断に必要な領域ＫがＸ線補償フィルタで覆われていた。
【０００７】
本発明は、上記問題点を解決するためになされたものであり、その目的は、様々な形状をなすＸ線補償フィルタの挿入領域に対し、常に最適な挿入位置となるようにＸ線補償フィルタを制御することが可能なＸ線画像診断装置を提供することにある。
【０００８】
【課題を解決するための手段】
上記目的は、被検体に照射するためのＸ線を発生するＸ線発生部と、このＸ線発生部のＸ線が照射される側に配置され前記Ｘ線を減弱する複数枚のＸ線補償フィルタと、前記被検体を挟み前記Ｘ線発生部と対向配置され前記被検体を透過した前記Ｘ線を検出するＸ線検出器と、このＸ線検出器より検出された透過Ｘ線をＸ線画像として出力する撮影手段と、この撮影手段から出力された前記Ｘ線画像を表示する画像表示手段と、前記撮影手段のＸ線画像を入力して記憶するＸ線画像記憶手段と、このＸ線画像記憶手段に記憶したＸ線画像を読み出し所定のしきい値以上の画素領域に前記Ｘ線補償フィルタを挿入するための挿入領域を算出する挿入領域算出手段と、前記挿入領域算出手段によって算出された挿入領域へ前記複数のＸ線補償フィルタを挿入するフィルタ制御手段とを備えたＸ線画像診断装置において、前記挿入領域を囲む矩形領域のあるラインに存在する前記挿入領域以外の部分を検出し、前記挿入領域以外の部分の座標に基づいて挿入領域分割線を決定し、前記挿入領域分割線によって前記挿入領域を分割する分割手段を備え、前記フィルタ制御手段は前記分割手段によって分割された挿入領域をそれぞれ独立した挿入領域とみなし、前記Ｘ線補償フィルタのうちの異なる２枚以上のＸ線補償フィルタを挿入するように制御することを特徴とするＸ線画像診断装置によって達成される。
【０００９】
また、前記演算手段は、Ｘ線補償フィルタの挿入領域を囲む矩形領域内の２値画像を使い挿入領域を分割するための挿入領域分割線を演算することを特徴とするＸ線画像診断装置によって達成される。
【００１０】
【発明の実施の形態】
本発明のＸ線画像診断装置の実施の形態について、それぞれ図面を用いて説明する。
図１は、本発明のＸ線画像診断装置の実施の形態の構成例を示すブロック図，図２は、図１のＸ線補償フィルタの構成を示す図，図３は図１の分割処理手段にて行われるＸ線補償フィルタの挿入領域の分割処理を示すフローチャート，図４はＸ線補償フィルタの挿入領域を囲む矩形領域の、あるラインに存在するＸ線補償フィルタの２つの挿入領域に挟まれたＸ線補償フィルタの挿入領域以外の部分Ｌｉの検出の様子を示す模式図，図５はＸ線補償フィルタの挿入領域分割線ｙｄによってＸ線補償フィルタの挿入領域を分割した様子を示す模式図，図６は分割されたＸ線補償フィルタの挿入領域Ｆａ，Ｆｂを囲む矩形領域を算出した様子を示す模式図，図７は領域分割手段によって分割されたＸ線補償フィルタの挿入領域Ｆａ，Ｆｂに基づき、挿入位置算出手段にて算出したＸ線補償フィルタの挿入位置を示す模式図である。
【００１１】
本発明の実施の形態のＸ線画像診断装置は、寝台２と、Ｘ線発生部３と、Ｘ線発生部３のＸ線照射方向に配置されたＸ線補償フィルタ４と、Ｘ線発生部３と被検体１を挟んで対向配置されたイメージインテンシファイア５と、イメージインテンシファイア５と光学的に接続されたテレビカメラ６と、テレビカメラ６と電気的に接続された画像表示手段７および透視画像記憶手段８と、挿入位置算出手段９と領域分割手段１０とのそれぞれと電気的に接続されたフィルタ制御手段１１とを有している。
【００１２】
寝台２は、被検体１を乗せて床面から適当な高さに被検体１を支持している。Ｘ線発生部３は、Ｘ線を発生する。Ｘ線補償フィルタ４は、前記Ｘ線が発生して曝射される側で被検体１とＸ線発生部３の間に配置され前記Ｘ線を減弱させる。イメージインテンシファイア５は、被検体１を間に挟んでＸ線発生部３と対向配置され、被検体１を透過した前記Ｘ線を蛍光面に入力し、光学画像に変換後、出力する。テレビカメラ６は、イメージインテンシファイア５と光学的に接続され前記光学画像を入力し、電気信号に変換する。画像表示手段７は、テレビカメラ６と電気的に接続され前記電気信号を画像として出力する。透視画像記憶手段８はテレビカメラ６と電気的に接続され前記電気信号を透視画像として記憶する。挿入位置算出手段９は、透視画像記憶手段８と電気的に接続され前記透視画像を読み出して、予め設定されているしきい値以上の領域をＸ線補償フィルタ４の挿入領域として算出し、Ｘ線補償フィルタ４を制御するための挿入位置を決定する。領域分割手段１０は、挿入位置算出手段９と電気的に接続され挿入位置算出手段９にて算出されたＸ線補償フィルタ４の挿入領域が分割可能であれば分割し、各々独立したＸ線補償フィルタ４の挿入領域として挿入位置算出手段９に送る。フィルタ制御手段１１は、フィルタ挿入位置算出手段９によって決定されたＸ線補償フィルタ４の挿入位置へＸ線補償フィルタ４を制御、挿入する。
【００１３】
また、Ｘ線補償フィルタ４は、図２に示すように、図面上部に位置するＵ部，下部に位置するＤ部，左方に位置するＬ部，右方に位置するＲ部からなる４枚の羽根で構成され、各羽根Ｕ，Ｄ，Ｌ，Ｒは、図面の円が示す透視画像表示領域を中心として前後、あるいは左右に平行移動するか、回転移動して４枚の羽根で構成される開口の大きさが調整される。
【００１４】
次に、本発明の実施の形態のＸ画像診断装置の動作について説明する。
Ｘ線発生部３からＸ線補償フィルタ４を通して被検体１に曝射されたＸ線は、被検体１を透過してイメージインテンシファイア５で光学画像に変換される。前記光学画像はテレビカメラ６で撮像された後、透視画像として透視画像記憶手段８に記憶される。挿入位置算出手段９は、透視画像記憶手段８に記憶されている透視画像の予め設定されているしきい値以上の領域をＸ線補償フィルタ４の挿入領域として算出した後、その領域を囲む矩形領域を算出する。ある領域を囲む矩形領域の算出方法については一般的な数学的手法を使い算出すればよく、ここではその詳細については省略する。算出されたＸ線補償フィルタ４の挿入領域、及びそれを囲む矩形領域は一端、領域分割手段１０に送られ、Ｘ線補償フィルタ４の挿入領域が分割可能であれば分割処理を行う。領域分割手段１０は、図３に示すフローチャートに従いＸ線補償フィルタ４の挿入領域の分割処理を行う。以下、図３に従い処理手順を説明する。
【００１５】
［ステップ１］
Ｘ線補償フィルタ４の挿入領域を囲む矩形領域の各ラインから、Ｘ線補償フィルタ４の２つの挿入領域に挟まれたＸ線補償フィルタ４の挿入領域以外の部分Ｌｉ（ｉはライン数）を検出する。図４は、Ｘ線補償フィルタ４の挿入領域を囲む矩形領域の、あるラインに存在するＸ線補償フィルタ４の２つの挿入領域に挟まれたＸ線補償フィルタ４の挿入領域以外の部分Ｌｉの検出の様子を示す模式図である。図４ではＬｉを検出するライン方向をｙ軸方向としているが、これはＸ線補償フィルタ４の挿入領域を囲む矩形領域の形状から決めたものであり、あらかじめ矩形領域の形状によりｘ軸方向に沿って検出するか、ｙ軸方向に沿って検出するか決めておく。また、ここで全ラインに対してＬｉが検出されないときは、Ｘ線補償フィルタ４の挿入領域は分割の必要のない形状を有しているものと判断し、従来手法に従い、フィルタ制御手段１１にて１枚のＸ線補償フィルタ４を対象として制御を行う。
【００１６】
［ステップ２］
Ｘ線補償フィルタ４の挿入領域を囲む矩形領域内にＬｉが存在する場合には、それを最小とするｙ軸方向のラインのＬｉ（Ｌｉｍｉｎ）の両端の座標（ｘｉ，ｙｉ1），（ｘｉ，ｙｉ2）から、（１）式に従いＸ線補償フィルタ４の挿入領域分割線ｙｄを決定する。
ｙｄ＝（ｙｉ1＋ｙｉ2）／２        −−−−−−−−  （１）
【００１７】
図５は、Ｘ線補償フィルタ４の挿入領域分割線ｙｄによってＸ線補償フィルタ４の挿入領域を分割した様子を示す模式図である。なお、上述例ではＸ線補償フィルタ４の挿入領域分割線ｙｄをＬｉｍｉｎの両端座標より求めているが、Ｌｉｍｉｎが１画素よりなる場合には、その画素の座標（ｘｉ，ｙｉ）のみよりＸ線補償フィルタ４の挿入領域分割線ｙｄを、
ｙｄ＝ｙｉ                        −−−−−−−−  （２）
より決定する。
【００１８】
［ステップ３］
Ｘ線補償フィルタ４の挿入領域分割線ｙｄによって分割された各々のＸ線補償フィルタ４の挿入領域Ｆａ，Ｆｂは、それを囲む矩形領域がそれぞれ算出される。図６は、分割されたＸ線補償フィルタ４の挿入領域Ｆａ，Ｆｂを囲む矩形領域を算出した様子を示す模式図である。
【００１９】
分割されたＸ線補償フィルタ４の挿入領域は、領域分割手段１０より再び挿入位置算出手段９に送られる。挿入位置算出手段９は、領域分割手段１０によって分割されたＸ線補償フィルタ４の挿入領域を、それぞれを独立した挿入領域と見なし、別々のＸ線補償フィルタ４を制御、挿入させるためにＸ線補償フィルタ４の挿入位置を算出する。フィルタ制御手段１１は、挿入位置算出手段９によって算出されたＸ線補償フィルタ４の挿入位置へＸ線補償フィルタ４を制御する。
【００２０】
図７は、領域分割手段１０によって分割されたＸ線補償フィルタ４の挿入領域Ｆａ，Ｆｂに基づき、挿入位置算出手段９にて算出したＸ線補償フィルタ４の挿入位置を示す模式図である。従来方法では診断に必要であるにもかかわらずＸ線補償フィルタ４が挿入され、診断の妨げとなっていた領域Ｋを避け、Ｘ線補償フィルタ４の挿入領域の形状に沿った挿入位置が算出される。フィルタ制御手段１１は、挿入位置算出手段９によって算出された挿入位置へＸ線補償フィルタ４を制御、挿入させる。
【００２１】
以上説明したように、本発明の実施の形態のＸ線補償フィルタ自動制御装置では挿入位置算出手段９にて算出されたＸ線補償フィルタ４の挿入領域の形状に応じて、分割可能なＸ線補償フィルタ４の挿入領域については領域分割手段１０によって分割し、分割したＸ線補償フィルタ４の挿入領域を各々独立したＸ線補償フィルタ４の挿入領域とみなし、別々のＸ線補償フィルタ４を制御，挿入するのでＸ線補償フィルタ４の挿入領域の形状によらず、常に最適位置へのＸ線補償フィルタ４の制御が可能となる。
【００２２】
また、表示画面においては、複数のＸ線補償フィルタが重なれば、その重なり部分の画面の輝度が暗くなるので、診断部位がより鮮明な輝度で表示されることとなり、鮮明な診断画像の表示も可能となる。
また、Ｘ線検出器はイメージインテンシファイアを例に説明したが、これに限ることなく、半導体等で形成された平面フラットセンサ等のあらゆるＸ線を検出できるものに置き換えてもよい。
【００２３】
また、撮影手段はテレビカメラを例に説明したが、これに限ることなく、ＣＣＤカメラやデジタルカメラ等のあらゆるＸ線検出器出力をＸ線画像に変換できるものに置き換えてもよい。
また、Ｘ線画像の例としてＸ線透視像を挙げたが、これに限ることなく、Ｘ線撮影像等のあらゆるＸ線画像に本発明が採用できることはいうまでもない。
【００２４】
【発明の効果】
本発明は、様々な形状のＸ線補償フィルタの挿入領域に対し、常に最適な挿入位置となるようにＸ線補償フィルタを制御することが可能なＸ線画像診断装置を提供するという効果を奏する。
【図面の簡単な説明】
【図１】本発明のＸ線画像診断装置の実施の形態の構成例を示すブロック図。
【図２】図１のＸ線補償フィルタの構成を示す図。
【図３】図１の分割処理手段にて行われるＸ線補償フィルタの挿入領域の分割処理を示すフローチャート。
【図４】Ｘ線補償フィルタの挿入領域を囲む矩形領域の、あるラインに存在するＸ線補償フィルタの２つの挿入領域に挟まれたＸ線補償フィルタの挿入領域以外の部分Ｌｉの検出の例を示す模式図。
【図５】Ｘ線補償フィルタの挿入領域分割線ｙｄによってＸ線補償フィルタの挿入領域を分割した例を示す模式図。
【図６】分割されたＸ線補償フィルタの挿入領域Ｆａ，Ｆｂを囲む矩形領域を算出した例を示す模式図。
【図７】領域分割手段によって分割されたＸ線補償フィルタの挿入領域Ｆａ，Ｆｂに基づき、挿入位置算出手段にて算出したＸ線補償フィルタの挿入位置の例を示す模式図。
【図８】従来技術によるＸ線補償フィルタの挿入位置の例を示す模式図。
【符号の説明】
１０  領域分割手段
【図１】
0004233639.tif 000002
【図２】
0004233639.tif 000003
【図３】
0004233639.tif 000004
【図４】
0004233639.tif 000005
【図５】
0004233639.tif 000006
【図６】
0004233639.tif 000007
【図７】
0004233639.tif 000008
【図８】
0004233639.tif 000009